(57)【特許請求の範囲】
【請求項１】
２つの互いに接続される遮蔽されたデータケーブルのプラグ用の２つの互いに対向するソケットと、各ソケット用にそれぞれ１つの接点セットを担持し、かつ前記接点セットの連通する接点（１２）を互いに導電性に接続する導体板（１０）と、前記導体板（１０）を包摂かつ保持する電気絶縁材料からなる２つの部分シェル（１４）と、本質的にソケットの差込方向に伸長する縦軸と共にＵ字形の形状を有し、かつ前記形状の両前面にソケットの差込開口部が空き、部分シェル（１４）が該部分シェルによって取り囲まれた導体板（１０）と共に構造群としてハウジング（４０）の中に差込可能であり、かつハウジング（４０）の中に固定可能である導電性のハウジング（４０）と、前記構造群をハウジング（４０）の開いた側面側で覆う導電性の密閉板（６０）と、前記ソケットの中に差し込まれたプラグの遮蔽体の接触化のために両方のソケットの中に係合する成形された接点舌片（６２）とを備えたカップリング。
【請求項２】
ハウジング（４０）の側面脚部（４２）の自由端がそれぞれ該ハウジングの前面で横突条部（４６）によって互いに接続されている、請求項１に記載のカップリング。
【請求項３】
ハウジング（４０）が金属ダイカスト部品、殊に亜鉛ダイカスト部品である、請求項１または２に記載のカップリング。
【請求項４】
部分シェル（１４）が両方の長手方向側で導体板（１０）上へ押し開き可能である、請求項１ないし３のいずれか一項に記載のカップリング。
【請求項５】
部分シェル（１４）が互いに突き合わされており、かつ突合せ継目が結合可能である、請求項４に記載のカップリング。
【請求項６】
両方の部分シェル（１４）が同一であり、かつ１８０°互いに回転して導体板（１０）上へ押し開かれる、請求項５に記載のカップリング。
【請求項７】
部分シェル（１４）がハウジング（４０）の中に固定可能である、請求項１から６のいずれか一項に記載のカップリング。
【請求項８】
ハウジング（４０）および部分シェル（１４）用の固定装置（２８、５０）が中心でハウジング（４０）の開いた側面側への部分シェル（１４）の挿入時に固定するソケットの間に配設された、請求項７に記載のカップリング。
【請求項９】
部分シェル（１４）がそれぞれその前端部で導体板（１０）を包摂する、請求項１から８のいずれか一項に記載のカップリング。
【請求項１０】
密閉板（６０）がハウジング（４０）の開いた側面側を完全に覆い、かつ前記ハウジングと共に周囲を閉じた遮蔽体を形成する、請求項１から９のいずれか一項に記載のカップリング。
【請求項１１】
密閉板（６０）が周縁側で高く曲げたラッチシャックル（６４、６６）によりハウジング（４０）で固定可能である、請求項１から１０のいずれか一項に記載のカップリング。
【請求項１２】
密閉板（６０）の接点舌片（６２）がハウジング（４０）の側面脚部（４２）と部分シェル（１４）の縦縁部（２０）との間でソケットの中に案内されている、請求項１から１１のいずれか一項に記載のカップリング。
【請求項１３】
接点（１２）が導体板（１０）の中に圧入された接点ばねによって形成されている、請求項１から１２のいずれか一項に記載のカップリング。
【請求項１４】
ソケットおよびプラグがＲＪ４５プラグコネクタとして形成されている、請求項１から１３のいずれか一項に記載のカップリング。
【請求項１５】
ハウジング（４０）の外部表面に少なくとも１つの外部導体用の外部接点（６８）が配設されている、請求項１から１４のいずれか一項に記載のカップリング。
【請求項１６】
外部接点（６８）が一体型にハウジング（４０）に成形されている、請求項１５に記載のカップリング。
【請求項１７】
外部接点（６８）が、好ましくはハウジング（４０）の外部輪郭の内部にあり、かつ差込方向に向いている平形差込舌片である、請求項１５または１６に記載のカップリング。
【発明の詳細な説明】
【技術分野】
【０００１】
本発明は、互いに接続される２本の遮蔽されたデータケーブルのプラグ用の２つの互いに対向するソケットを備えたカップリングに関する。
【背景技術】
【０００２】
構造化された建物ケーブル配線および内部データ網、例えばエーサネット網の工業用ケーブル配線との連結は増加している。そのために、該網と工業用ケーブル配線との間に端子接続を構築する必要がある。そのため、網のデータケーブルを工業用途のデータケーブルに接続するために、プラグコネクタカップリングが使用される。このようなカップリングは、今日一般にＲＪ４５プラグコネクタとして構成されている。工業環境およびデータ網の環境は、一般に仕切壁例えばハウジング壁によって互いに分離されている。必要な、例えばＩＰ６７に準じる高い保護等級を有するこのような仕切壁を通してカップリングのダクトを構成するために、仕切壁の中に充分な密閉性を保証しかつカップリングの中に挿入される工業用フランジが使用される。このような工業用フランジに対して種々の規格があり、そのためカップリングがその寸法によって工業用フランジに使用できないときに問題が生じ得る。
【発明の開示】
【発明が解決しようとする課題】
【０００３】
従って、本発明の課題は、一方で工業環境で使用するために充分堅牢であり、かつ他方ではカップリングの寸法が充分に小さく、それによってカップリングを様々な工業用フランジに組み込むことができるカップリングを構成することである。
【課題を解決するための手段】
【０００４】
この課題は、本発明により請求項１の特徴を有するカップリングによって解決される。
本発明の好ましい実施形態は従属請求項に記載されている。
【０００５】
カップリングは、互いに接続されるデータケーブルのプラグを収容する２つのソケットを有し、プラグコネクタは今日多くの適用事例においてＲＪ４５プラグコネクタとして構成されている。カップリングは、その前面にそれぞれソケットが配設された横長の直方体の形状を有し、その結果、２つのソケットがカップリングの長手方向に互いに一列に並び、かつ正反対の差込方向で配置されている。カップリングの中に、プラグコネクタ用の２つの接点セットを担持し、かつそれぞれ互いに対応する前記両方の接点セットの接点を導体レールを介して互いに接続する導体板が配設されている。導体板は、一方で導体板を電気的に絶縁し、かつ他方で導体板を機械的負荷に対して安定化する絶縁性合成樹脂からなる２つの部分シェルによって収容される。該合成樹脂によって取り囲まれた導体板を備えた部分シェルは、ハウジングの中に挿入される構造群（モジュール）を構成する。ハウジングは導電性であり、かつ好ましくは金属製である。特に、ハウジングは金属ダイカスト部品として、好ましくは亜鉛ダイカスト部品として製造することができる。ハウジングはＵ字形の形状を有し、それによって直方体のカップリングの３つの長手方向側を形成する。導体板を備えたハウジングの中に挿入された構造群は、ハウジングの第４の開いた長手方向側で導電性の密閉板によって覆われる。ハウジングはこの密閉板と共に１つの遮蔽体を構成し、該遮蔽体はカップリングを全ての４長手方向側で取り囲み、かつソケットの差込開口部を備えた両方の前面のみが接続するプラグ用に空けられる。密閉板に、それぞれソケットの内部空間の中に係合し、かつソケットの中に差し込まれたプラグの遮蔽体に接触する接点舌片が成形されている。密閉板はカップリングの中に差し込まれたプラグの遮蔽体を直接接続し、その結果、プラグ接点と、該接点を接続する導体板の導体レールは、全面を閉じた金属製の遮蔽体によって取り囲まれている。
【０００６】
簡単かつコスト的に有利な製造および組立は、好ましくは導体板を収容する部分シェルが同一のハーフシェルとして構成されることによって達成される。該ハーフシェルは互いに１８０°回転させてこの導体板を収容するために、両方の縦角部から導体板へ押し開くことができる。目的に応じて、両方の部分シェルは縦中心面で互いに突き合わせ、かつ好適な方法で結合され、それによって部分シェルと導体板とから構成された構造群が、さらなる組立のため充分に結合される。
【０００７】
構造群は、目的に応じて密閉板と共に開いた長手方向側からハウジングの中へ挿入され、かつ目的に応じてハウジングの中でロックすることができる。そのために、例えばスナップ式ロック装置がハウジングの縦中心に、すなわち両方のソケットの間に配設されている。密閉板は、目的に応じて同様にハウジングと共にロックすることができ、それによって全カップリングがただスナップ式ロック接続によってのみ取り付けられる。それによって、付加的な組立工具を不要とする簡単ですばやい組立が可能である。
【０００８】
カップリングの断面寸法は、本質的にソケットのプラグ輪郭の断面によって決定されている。このプラグ輪郭は遮蔽するハウジングによってのみ取り囲まれる。それによって、カップリングの最小断面寸法が得られ、その結果、カップリングを様々に規格化された工業用フランジに使用することができる。ハウジングおよび導体板を安定化する部分シェルは、工業的使用でより大きい機械的負荷に対してもカップリングの好適な堅牢性を保証する。導体板およびプラグ接点は全面的に遮蔽されているので、カップリングの高い外乱安全性も保証されている。
【０００９】
以下、本発明は図面に示した実施例を利用してより詳しく説明する。
【発明を実施するための最良の形態】
【００１０】
図示した実施例において、ＲＪ４５プラグコネクタを介して２本の遮蔽されたデータケーブルの接続に用いられるカップリングを示している。カップリングは、その両方の前面にデータケーブルに取り付けたＲＪ４５プラグを収容するそれぞれ１つのＲＪ４５ソケットが構成された全体的に横長の直方体の形状を有する。該両方のソケットは軸線方向に互いに対向する差込方向と一列に並べて配置されている。
【００１１】
カップリングは両方のソケットの接点１２を担持する導体板１０を有する。接点１２は、この場合、導体板１０の中に圧入された接点ばねとして構成されている。図示したＲＪ４５プラグコネクタを備えた実施形態において、対応してそれぞれ８個の接点１２を各ソケット用に設けている。それぞれ互いに対応する両方のソケットの接点１２は、導体板１０の導体レールを介して互いに接続されている。
【００１２】
導体板１０は２つの部分シェル１４によって収容される。部分シェル１４は同一に構成されており、導体板１０の両方の縦角部から導体板１０へ押し開かれ、その結果、両方の部分シェル１４の各々が導体板１０の半分を収容する。部分シェル１４は、導体板１０の下面に当接する底部側枠体１６を有する。両方の部分シェル１４の前角部に、それぞれ上方へＵ字形のポケット１８が成形されており、その中に、導体板１０の各前角部が挿入される。部分シェル１４は前記ポケット１８と共にそれぞれ導体板１０の前角部を包摂し、その結果、導体板が部分シェル１４の中に保持されている。上方に曲げた部分シェル１４の縦縁部２０は、導体板１０上への部分シェル１４の押し開き時の係止体として用いられ、かつ外側で導体板１０の縦角部を覆う。部分シェル１４の縦中心に、縦縁部２０の上角部に枠体１６の上方の横方向へ伸長するそれぞれ１つのブリッジ２２が成形されている。枠体１６とブリッジ２２との間に、その垂直の幅が導体板１０の高さに相当するギャップが空けられている。部分シェル１４が該両方の各長手方向側から導体板１０上へ押し進められるとき、枠体１６は導体板１０の下面に当接し、ブリッジ２２は接点１２の間に導体板１０の上面へ押し進められる。カップリングの縦中心軸に、両方の押し開かれた部分シェル１４が一方で枠体１６の内部の縦角部と、他方ではその各ブリッジ２２の両方の内面と互いに突合せている。ブリッジ２２の内面に、それぞれピボット２４および穴２６が成形されている。両方の部分シェル１４は１８０°互いに回転して導体板１０へ押し開かれるので、それぞれ一方のブリッジ２２のピボット２４が他方のブリッジの穴２６に係合する。それによって、導体板１０を包摂する部分シェル１４は摩擦係合式に結合される。
【００１３】
部分シェル１４は、電気絶縁材料、殊に合成樹脂からなり、かつ好ましくは一体に合成樹脂射出成形部品として製造されている。結合された部分シェル１４は該部分シェルによって取り囲まれた導体板１０と共にカップリング組立用のコンパクトな構造群を形成する。部分シェル１４は導体板１０を電気的に絶縁し、かつ導体板１０を機械的負荷に対して、殊に曲げ負荷に対して補強する。
【００１４】
さらに、カップリングは導電性に構成されたハウジング４０を有する。ハウジング４０は、好ましくは金属製であり、殊に金属ダイカスト部品、好ましくは亜鉛ダイカスト部品である。
【００１５】
ハウジング４０はカップリングの差込方向に伸長するＵ字形の形状を有し、その側面脚部４２によって側面を形成し、かつそのプロフィールヨーク４４によってカップリングの上面を形成する。ハウジング４０の両方の前面に側面脚部４２の自由端角部は、それぞれハウジング４０の補強に用いられる横突条部４６によって互いに接続されている。
【００１６】
ハウジング４０の開放下面は、導電性の密閉板６０によって覆われる。密閉板６０は、好ましくは金属製の薄板押抜曲げ部品である。
【００１７】
部分シェル１４と導体板１０とから形成された構造群は、密閉板６０と共に開放下面からハウジング４０の中へ挿入され、かつハウジング４０の中に固定される。
【００１８】
そのために、ハウジング４０の縦中心にプロフィールヨーク４４の内側に拡幅した頭部５０で終了する内部へ突出する横方向へ伸長するスナップ式ロックピン４８が成形されている。頭部５０は、その開放内端に進入斜面５２によって形成されており、スナップ式ロックピン４８を介して側面に突出するラッチ部５４を形成する。ハウジング４０の中への構造群の挿入時に、頭部５０はブリッジ２２の上面に成形された収容部２８の中に圧入される。収容部２８は、その上面にばね付勢式に繰出可能の、進入斜面３２によって形成された固定鉤部３０を有する。収容部２８の中への頭部５０の圧入時に、まず固定鉤部３０が頭部５０の進入斜面５２の協働によって、頭部５０が収容部２８の中へ進入するまで、固定鉤部３０の進入斜面３２によって押出されている。次に固定鉤部３０がばね付勢式に頭部５０のラッチ部５４の後方に飛び出し、その結果、部分シェル１４と共に全導体板１０を収容する構造群は、図２に見られるように、ハウジング４０の中に固定されている。
【００１９】
密閉板６０の寸法はハウジング４０の下面の寸法に相当する。密閉板６０はハウジング４０の中に収容された部分シェル１４および導体板１０をハウジング４０の下面で覆う。密閉板６０の両方の側面縦角部に密閉板６０の平面と垂直に上方へ高く曲げられたそれぞれ２つの接点舌片６２が成形されている。接点舌片６２の自由端は直角にカップリングの差込方向に曲げられている。
【００２０】
部分シェル１４と導体板１０とから形成された構造群および密閉板６０をハウジング４０の中へ挿入するとき、密閉板６０はハウジング４０の下面を閉鎖し、かつ接点舌片６２はそれぞれ部分シェル１４の縦縁部２０とハウジング４０の側面脚部４２との間から出て、その結果、接点舌片６２の曲げられた自由端が側面でばね付勢式にカップリングのソケットの内部側壁に露出する。
【００２１】
さらに、密閉板６０の縦角部でラッチシャックル６４が、密閉板６０の前横角部でラッチシャックル６６が、上方へ直角に曲げられている。ハウジング４０の中への密閉板６０を挿入するとき、ラッチシャックル６４は、外部にハウジング４０の側面脚部４２の下角部に成形された穿孔された開口部と共にラッチ部５６を介して係合する。ラッチシャックル６６は穿孔された開口部と共に、それぞれハウジング４０の横突条部４６の前面に成形されたラッチ部５８を介して係合する。それによって、密閉板６０はハウジング４０と形状嵌合式に固定される。
【００２２】
取り付けたカップリングにおいて、ハウジング４０は密閉板６０と共にカップリングの４側面で閉鎖された遮蔽体を形成する。前面で、ハウジング４０は横突条部４６と共にそれぞれプラグ用の差込開口部を形成する。ソケットの内壁は上面でハウジング４０のプロフィールヨーク４４によって、下面で部分シェル１４および接点１２によって、および両方の内部の側壁で密閉板６０の接点舌片６２によって形成される。差し込まれたプラグは接点１２と接触する。接点舌片６２はばね付勢式に外部から差し込まれたプラグの外部遮蔽体に当接し、その結果、両方の差し込まれたプラグの遮蔽体が接点舌片６２および密閉板６０を介して直接互いに導電性に接続される。
【００２３】
ハウジング４０のプロフィールヨーク４４の両方の前角部に、ハウジング４０を接地できるそれぞれ１つの外部接点６８が配設されている。外部接点６８は、それぞれ平形差込舌片としてハウジング４０と一体に成形されており、ハウジング４０の外部輪郭の凹所の中にあり、かつそれぞれソケットの差込方向と逆向きである。外部接点６８および必要であれば該外部接点に差し込まれたケーブルシューは、カップリングの断面輪郭を拡大しない。
【００２４】
導体板１０、部分シェル１４、ハウジング４０および密閉板６０は、付加的な工具なしに簡単に組込みかつ固定することによって取り付けることができる。カップリングの外部断面寸法は本質的にソケットの断面によって決定される。個々の部材の固定は、ソケットを包摂するハウジング４０の断面内部に生じ、その結果、外部断面は付加的な組立措置によって拡大されない。そのため、カップリングは最小の寸法で多数の任意の工業用フランジに使用することができる。ダイカストハウジング４０および包摂する部分シェル１４による導体板１０の安定化は、工業環境への使用に対してカップリングの高い堅牢性を保証する。
【図面の簡単な説明】
【００２５】
【図１】カップリングの展開図である。
【図２】軸線方向の中心面のカップリングの縦断面図である。
【符号の説明】
【００２６】
１０  導体板
１２  接点
１４  部分シェル
１６  枠体
１８  ポケット
２０  縦縁部
２２  ブリッジ
２４  ピボット
２６  穴
２８  収容部
３０  固定鉤部
３２  進入斜面
４０  ハウジング
４２  側面脚部
４４  プロフィールヨーク
４６  横突条部
４８  スナップ式ロックピン
５０  頭部
５２  進入斜面
５４  ラッチ部
５６  ラッチ部
５８  ラッチ部
６０  密閉板
６２  接点舌片
６４  ラッチシャックル
６６  ラッチシャックル
６８  外部接点
【図１】
0004723520.tif 000002
【図２】
0004723520.tif 000003